(57)【特許請求の範囲】
【請求項１】
患者の服薬を管理するための服薬管理システムであって、
不特定の人が薬品を服用する際の様々な動作を撮影して得たデータを学習データとして機械学習を行うことにより生成した服薬動作認識モデルを用いた服薬動作認証プロセスを実行する服薬管理端末を有し、
前記服薬管理端末は、
撮影部と、
前記服薬動作認識モデルを格納した記憶部と、
前記撮影部により撮影した情報および前記服薬動作認識モデルを組み合わせて処理する演算部と、を備え、
前記服薬動作認証プロセスによって、前記撮影部により撮影した前記患者の動作および前記服薬動作認識モデルを組み合わせて前記演算部により処理することで、前記患者が薬品を服薬したか否かを判定する、
ことを特徴とする服薬管理システム。
【請求項２】
前記服薬管理端末は、前記患者の顔を撮影して得たデータを学習データとして機械学習を行うことにより生成した顔認識モデルを用いた顔認証プロセスを更に有しており、
前記顔認識モデルは前記記憶部に格納されており、
前記顔認識モデルと前記撮影部により撮影した情報を組み合わせて前記演算部により処理可能であり、
前記顔認証プロセスによって、前記撮影部により撮影可能な範囲に人物が入ったとき、前記撮影部により撮影した情報および前記顔認識モデルを組み合わせて前記演算部により処理することで、撮影した前記人物が前記患者であることを判定する、
ことを特徴とする請求項１記載の服薬管理システム。
【請求項３】
患者の服薬を管理するための服薬管理システムであって、
不特定の人が薬品を服用する際の様々な動作を撮影して得たデータを学習データとして機械学習を行うことにより生成した服薬動作認識モデルを用いた服薬動作認証プロセスを実行する服薬管理端末を有し、
前記服薬管理端末は、
撮影部と、
記憶部と、
前記撮影部により撮影した情報および前記服薬動作認識モデルを組み合わせて処理する演算部と、
ネットワークに接続可能な通信部と、を備え、
前記服薬動作認識モデルは前記記憶部または前記ネットワークを介して利用可能なサーバ上に格納されており、
前記服薬動作認証プロセスによって、前記撮影部により撮影した前記患者の動作および前記服薬動作認識モデルを組み合わせて、前記演算部または前記ネットワークを介して利用可能な演算装置により処理することで、前記患者が薬品を服薬したか否かを判定する、
ことを特徴とする服薬管理システム。
【請求項４】
前記服薬管理端末は、前記患者の顔を撮影して得たデータを学習データとして機械学習を行うことにより生成した顔認識モデルを用いた顔認証プロセスを更に有しており、
前記顔認識モデルは前記記憶部または前記ネットワークを介して利用可能なサーバ上に格納されており、
前記顔認識モデルと前記撮影部により撮影した情報を組み合わせて前記演算部または前記ネットワークを介して利用可能な演算装置により処理可能であり、
前記顔認証プロセスによって、前記撮影部により撮影可能な範囲に人物が入ったとき、前記撮影部により撮影した情報および前記顔認識モデルを組み合わせて前記演算部または前記ネットワークを介して利用可能な演算装置により処理することで、撮影した前記人物が前記患者であることを判定する、
ことを特徴とする請求項３記載の服薬管理システム。
【請求項５】
前記患者の患者固有ＩＤを含む患者情報を登録するための登録用端末を有し、
前記登録用端末は、
前記患者の顔を撮影するための撮影部と、
前記患者固有ＩＤを入力するための入力部と、
ネットワークに接続可能な通信部と、を備え、
前記登録用端末の撮影部によって前記患者の顔を撮影して得たデータを用い、前記登録用端末に備えたモデル生成手段または前記ネットワークを介して利用可能なモデル生成手段による機械学習を行い、前記顔認識モデルを生成するとともに、前記顔認識モデルと前記患者固有ＩＤを紐づけする、
ことを特徴とする請求項２または４記載の服薬管理システム。
【請求項６】
前記服薬動作認識モデルは、錠剤・カプセル・顆粒・散剤・液体その他の前記薬品の種類に応じた服薬動作認識モデルである、
ことを特徴とする請求項１，２，３，４または５記載の服薬管理システム。
【請求項７】
前記服薬管理端末の付近に設置されるケース体および薬カートリッジを有し、
前記ケース体は前記薬カートリッジを上方から挿入して保持する上面開口の薬カートリッジ保持部を有し、
前記薬カートリッジは、服薬計画に基づいて医療機関によって作成されて封をしたものであって、交換可能であり、
カレンダー状に平面的に複数の区画に区分けされた薬品収容部と、
前記各区画に収容された薬品と、
服薬すべき薬品の服薬時期および服薬すべき薬品の収容された区画を含む服薬情報が格納された識別コードと、を備える、
ことを特徴とする請求項１，２，３，４，５または６記載の服薬管理システム。
【請求項８】
前記ケース体は、前記薬カートリッジ保持部に配置され前記服薬すべき薬品の収容された区画を示す発光手段を備える、
ことを特徴とする請求項７記載の服薬管理システム。
【請求項９】
前記服薬管理端末の撮影部により撮影した情報をもとに、前記服薬すべき薬品の収容された区画から前記服薬すべき薬品が取り出されたか否かを識別する、
ことを特徴とする請求項７または８記載の服薬管理システム。
【請求項１０】
薬品認証プロセスを有し、
前記薬品認証プロセスは、前記服薬管理端末の撮影部によって前記薬品を撮影した情報および前記服薬情報を組み合わせて処理し、撮影した前記薬品が服薬すべき薬品の種類および数量と一致する事を識別する、
ことを特徴とする請求項７，８または９記載の服薬管理システム。
【請求項１１】
前記服薬管理端末は、所定の服薬時期が到来したことを示す旨の映像を出力する映像出力手段または所定の服薬時期が到来したことを示す旨の音声を出力する音声出力手段のうち少なくとも一方を有する出力部を備える、
ことを特徴とする請求項１，２，３，４，５，６，７，８，９または１０記載の服薬管理システム。
【請求項１２】
前記服薬管理端末がネットワークに接続可能な通信部を有しており、
前記患者が服薬したか否かを判定した際、その判定した情報を前記ネットワークを介して利用可能なサーバ上にアップロードし、
前記判定した情報は、前記患者の介護者が所有する介護者端末、前記患者が受診する医療機関が所有する医療機関端末、システム管理者が所有する管理者端末のうち少なくとも１つを用いて閲覧可能である、
ことを特徴とする請求項１，２，３，４，５，６，７，８，９，１０または１１記載の服薬管理システム。
【発明の詳細な説明】
【技術分野】
【０００１】
本発明は、患者が服薬すべき薬品を服薬したか否かを識別することのできる服薬管理システムに関する。
【背景技術】
【０００２】
患者に処方された処方薬は、所定の用法・用量で服薬しなければ期待される効果を十分に得ることができないばかりか、場合によっては飲み過ぎまたは飲み忘れにより病状の悪化等の深刻な事態が起きうるところ、患者が自宅で処方薬を適切に服薬できるか否かについては患者本人の注意力に依存せざるを得なかった。【０００３】
患者に家族やヘルパーなどの介護者が存在する場合は、患者本人のみならず介護者の注意力によって服薬を管理することができるが、介護をすることにかかる心理的負担または金銭的負担は無視することができず、誰しもが利用できるものではない。【０００４】
そこで、例えば特開２０１０−１７０５０４号（特許文献１）に示すような、服薬確認システムが知られている。この服薬確認システムは、複数の薬収容室を有する薬ケースと、前記薬収容室に収容された薬の有無を検出するための検出手段であるセンサと、からなるものである。【０００５】
前述の服薬確認システムは、予め前記各薬収容室に前記薬を収容しておき、所定のタイミングで前記薬ケースの蓋を開放し、服薬すべき薬が収容された薬収容室を光により指定し、患者に指定した薬収容室から前記服薬すべき薬を取り出させ、服薬させるものである。そして、前記指定された前記薬収容室から前記薬を取り出したことを前記センサにより検知することで、患者が前記薬を服薬したか否かを確認するものである。【０００６】
しかしながら、服薬すべき薬が指定された薬収容室から取り出されたことを確認できたとしても、患者が取り出した後に本当に服薬できたか否かについては確認することができない。【０００７】
この解決方法として、特許文献１においては、屋内センサを備えて、屋内の様子や患者の行動を把握することができるとされているが、大掛かりな装置のため一般的な患者にとって実現は困難な上に、服薬確認との関係も直接的でなく、十分な効果は期待できないと思われる。【０００８】
或いは、監視カメラを備えて、単純に視覚によって薬を本当に服薬したか否かを把握することができるとされているが、患者の数が増加していくにつれ監視者の負担も比例して増加するため、現実的ではない。【０００９】
これに対し、例えば特開２０１５−２２８０８２号公報（特許文献２）に示すような、画像センサを用いた服用証跡管理端末等が知られている。この発明は、単に服用前後の薬剤の状態についての情報が存在するだけでは、服用者（患者）が正しく服用したことについて証拠能力が十分あるとは言えないことに着目し、服用対象となる薬剤が一定量以上減少し、かつ前記薬剤が服用者の口腔内に入ったことを画像認識することにより、服薬を管理する服用証跡管理端末である。【００１０】
前述の服用証跡管理端末は、画像センサから取得した画像データに基づき、服用対象の薬剤を認識するとともに利用者（患者）を認識し、前記服用対象となる全ての薬剤が前記利用者により服用された旨の判定を行った場合に正しく服用がなされたと認証し、そうでない場合は紛失として区別を行うことで、服用履歴を正確に記録するものである。【００１１】
この様に、リアルタイムで画像データに基づく服用の判定を行うことにより、飲み忘れ、飲み過ぎをユーザに警告でき、正しい服用を支援することが出来ることに加え、監視者が事後的に監視カメラの映像から服薬したか否かを判定する必要も無く、更に受診する病院等に設置される医師端末によって服用履歴を確認することもできる。【００１２】
しかしながら、前述の服用証跡管理端末を利用するためには、画像センサが服用対象の薬剤を利用者の口腔内に入るまで終始確認できることが必要となるため、利用者（患者）は服用すべき薬剤を画像センサが認識できるように専用皿の上に並べるとともに、口腔内に入れたことが画像センサに明確に認識できるように服用をしなければならないため、服用の度に非常に煩雑な手順と不自然な服薬動作を強いるものであって、特に体調のすぐれない患者などにとっては採用し難いものとなっている。
【先行技術文献】
【特許文献】
【００１３】
【特許文献１】特開２０１０−１７０５０４号公報
【特許文献２】特開２０１５−２２８０８２号公報
【発明の概要】
【発明が解決しようとする課題】
【００１４】
本発明は、患者に煩雑な手順を強いることなく、所定の服薬時期に所定の薬品を適切に服薬できるように支援するとともに、患者が本当にその薬品を服薬できたか否かについてリアルタイムに確認を行うことのできる服薬管理システムを提供することを課題とする。
【課題を解決するための手段】
【００１５】
前記課題を解決するためになされた本願の第１の発明は、患者の服薬を管理するための服薬管理システムであって、
前記患者の顔を撮影して得たデータを学習データとして機械学習を行うことにより生成した顔認識モデルを用いた顔認証プロセス、および人の服薬動作を撮影して得たデータを学習データとして機械学習を行うことにより生成した服薬動作認識モデルを用いた服薬動作認証プロセスを実行する服薬管理端末を有し、
前記服薬管理端末は、
撮影部と、
前記顔認識モデル、前記服薬動作認識モデルおよび前記患者の患者固有ＩＤを含む患者情報を格納した記憶部と、
前記撮影部により撮影した情報および前記顔認識モデルまたは前記服薬動作認識モデルを組み合わせて処理する演算部と、を備え、
前記顔認証プロセスによって、前記撮影部により撮影可能な範囲に人物が入ったとき、前記撮影部により撮影した情報および前記顔認識モデルを組み合わせて前記演算部により処理することで、撮影した前記人物が前記患者であることを判定するとともに、
前記服薬動作認証プロセスによって、前記患者の動作を前記撮影部により撮影し、前記撮影部により撮影した動作および前記服薬動作認識モデルを組み合わせて前記演算部により処理することで、前記患者が前記薬品を服薬したか否かを判定することを特徴とする。【００１６】
本願の第２の発明は、患者の服薬を管理するための服薬管理システムであって、
前記患者の顔を撮影して得たデータを学習データとして機械学習を行うことにより生成した顔認識モデルを用いた顔認証プロセス、および人の服薬動作を撮影して得たデータを学習データとして機械学習を行うことにより生成した服薬動作認識モデルを用いた服薬動作認証プロセスを実行する服薬管理端末を有し、
前記服薬管理端末は、
撮影部と、
前記患者の患者固有ＩＤを含む患者情報を格納した記憶部と、
前記撮影部により撮影した情報および前記顔認識モデルまたは前記服薬動作認識モデルを組み合わせて処理する演算部と、
ネットワークに接続可能な通信部と、を備え、
前記顔認識モデルおよび前記服薬動作認識モデルは前記記憶部または前記ネットワークを介して利用可能なサーバ上に格納されており、
前記顔認証プロセスによって、前記撮影部により撮影可能な範囲に人物が入ったとき、前記撮影部により撮影した情報および前記顔認識モデルを組み合わせて、前記演算部または前記ネットワークを介して利用可能な演算装置により処理することで、撮影した前記人物が前記患者であることを判定するとともに、
前記服薬動作認証プロセスによって、前記患者の動作を前記撮影部により撮影し、前記撮影部により撮影した動作および前記服薬動作認識モデルを組み合わせて、前記演算部または前記ネットワークを介して利用可能な演算装置により処理することで、前記患者が前記薬品を服薬したか否かを判定することを特徴とする。【００１７】
本願の第３の発明は、前記服薬管理端末の付近に設置される薬カートリッジを有し、
前記薬カートリッジは、
複数の区画に区分けされた薬品収容部と、
前記各区画に収容された薬品と、
服薬すべき薬品の服薬時期および服薬すべき薬品の収容された区画を含む服薬情報が格納された識別コードと、を備えることを特徴とする。【００１８】
本願の第４の発明は、前記薬カートリッジは一定期間の服薬計画に基づいて作成され、交換可能であることを特徴とする。【００１９】
本願の第５の発明は、前記服薬管理端末と前記薬カートリッジを組み合わせるためのケース体を有し、
前記ケース体は、前記薬カートリッジを保持する薬カートリッジ保持部と、前記薬カートリッジ保持部に配置され前記服薬すべき薬品の収容された区画を示す発光手段と、を備えることを特徴とする。【００２０】
本願の第６の発明は、前記服薬管理端末の撮影部により撮影した情報をもとに、前記服薬すべき薬品の収容された区画から前記服薬すべき薬品が取り出されたか否かを識別することを特徴とする。【００２１】
本願の第７の発明は、前記服薬管理端末は、所定の服薬時期が到来したことを示す旨の映像を出力する映像出力手段または所定の服薬時期が到来したことを示す旨の音声を出力する音声出力手段のうち少なくとも一方を有する出力部を備えることを特徴とする。【００２２】
本願の第８の発明は、前記患者を登録するための登録用端末を有し、
前記登録用端末は、
前記患者の顔を撮影するための撮影部と、
前記患者固有ＩＤを入力するための入力部と、
ネットワークに接続可能な通信部と、を備え、
前記登録用端末の撮影部によって前記患者の顔を撮影して得たデータを用い、前記登録用端末に備えたモデル生成手段または前記ネットワークを介して利用可能なモデル生成手段による機械学習を行い、前記顔認識モデルを生成するとともに、前記顔認識モデルと前記患者固有ＩＤを紐づけすることを特徴とする。【００２３】
本願の第９の発明は、前記服薬管理端末がネットワークに接続可能な通信部を有しており、
前記患者が服薬したか否かを判定した際、その判定した情報を前記ネットワークを介して利用可能なサーバ上にアップロードし、
前記判定した情報は、前記患者の介護者が所有する介護者端末、前記患者が受診する医療機関が所有する医療機関端末、システム管理者が所有する管理者端末のうち少なくとも１つを用いて閲覧可能であることを特徴とする。【００２４】
本願の第１０の発明は、前記顔認証プロセスと前記服薬動作認証プロセスの間に実行される薬品認証プロセスを有し、
前記薬品認証プロセスは、前記服薬管理端末の撮影部によって前記薬品を撮影した情報および前記服薬情報を組み合わせて処理し、撮影した前記薬品が服薬すべき薬品の種類および数量と一致する事を識別することを特徴とする。【００２５】
本願の第１１の発明は、前記服薬管理端末がスマートフォンまたはタブレットであることを特徴とする。
【発明の効果】
【００２６】
本発明によれば、所定のタイミングで所定の薬剤を患者に服薬させるための服薬管理システムにおいて、人の服薬動作を機械学習により得た学習モデルを用いることで、患者は煩雑な下準備や不自然な動作を要することなく、服薬管理装置の指示に従って薬品を自然に服用するだけでよく、患者の動作を撮影して得たデータによって服薬したか否かを判定することができる優れた服薬管理システムを提供することができる。
【図面の簡単な説明】
【００２７】
【図１】本発明の第１の実施の形態である服薬管理システム１を示す構成図。
【図２】服薬管理装置１Ａの外観を示す斜視図。
【図３】図２に示した服薬管理装置１Ａの組み立て過程を示す異なる角度の斜視図。
【図４】異なる服薬管理装置１Ｂの外観を示す斜視図。
【図５】更に異なる服薬管理装置１Ｃの外観を示す斜視図。
【図６】図２に示した服薬管理装置１Ａの構成を示すブロック図。
【図７】薬カートリッジ２０を示す平面図。
【図８】薬カートリッジ２０を示す斜視図。
【図９】登録用端末５０の構成を示すブロック図。
【図１０】服薬管理システム１の全体フロー図。
【図１１】登録用端末５０を用いた患者情報登録プロセスのフロー図。
【図１２】患者宅における服薬管理装置１Ａの初期設定プロセスのフロー図。
【図１３】顔認証プロセスのフロー図。
【図１４】服薬動作認証プロセスのフロー図。
【図１５】本発明の第２の実施の形態である服薬管理システム２を示すフロー図。
【図１６】薬品認証プロセスのフロー図。
【図１７】本発明の第３の実施の形態である服薬管理システム３を示す構成図。
【発明を実施するための形態】
【００２８】
以下、図面に基づいて本発明の実施の形態について詳細に説明する。
【００２９】
図１は本発明の第１の実施の形態である服薬管理システム１を示す構成図である。
前記服薬管理システム１は、患者Ｐの服薬を管理するための服薬管理システムであって、前記患者Ｐの顔を撮影して得たデータを学習データとして機械学習を行うことにより生成した顔認識モデルを用いた顔認証プロセス、および人の服薬動作を撮影して得たデータを学習データとして機械学習を行うことにより生成した服薬動作認識モデルを用いた服薬動作認証プロセスを実行する服薬管理端末１０Ａと、前記服薬管理端末１０Ａの付近に設置される薬カートリッジ２０と、前記服薬管理端末１０Ａおよび前記薬カートリッジ２０を互いに所定の位置関係に保持するためのケース体３０Ａと、からなる服薬管理装置１Ａを用いるものである。
【００３０】
前記服薬管理システム１は、インターネットであるネットワーク４０にアクセス可能に構成されており、また、登録用端末５０（医療機関に設置される医療機関端末）、介護者が使用する介護者端末６０、システム管理者が使用する管理者端末７０、およびクラウドサーバ８０に対して、前記ネットワーク４０を介して接続可能である。
【００３１】
尚、本実施の形態における前記医療機関は医療を提供する病院や診療所、調剤を実施する薬局を含むものであるが、両者を一つとした施設、すなわち調剤機能を備えた病院であってもよく、その他、医療提供施設のみならず、例えば介護施設や看護施設などの医療を提供しない施設を含むものとしてもよい。
【００３２】
前記クラウドサーバ８０は、その機能として、外部演算装置として使用することや、外部データベースとして使用することができる。
【００３３】
図２は服薬管理装置１Ａの外観を示す斜視図である。
服薬管理装置１Ａは、前記服薬管理端末１０Ａと、前記薬カートリッジ２０と、前記ケース体３０Ａと、からなり、前記服薬管理端末１０Ａおよび前記薬カートリッジ２０を前記ケース体３０Ａにセットして使用するものである（図３参照）。
【００３４】
図４は異なる服薬管理装置１Ｂの外観を示す斜視図である。
この服薬管理装置１Ｂは、服薬管理端末１０Ｂと、前記薬カートリッジ２０と、ケース体３０Ｂと、からなる点は前記服薬管理装置１Ａと同様であるが、前記服薬管理端末１０Ｂと前記ケース体３０Ｂが一体となっている点において異なる。
【００３５】
図５は更に異なる服薬管理装置１Ｃの外観を示す斜視図である。
この服薬管理装置１Ｃは、服薬管理端末１０Ｃと、前記薬カートリッジ２０と、前記ケース体３０Ｃと、からなり、前記服薬管理端末１０Ｃと前記ケース体３０Ｃが一体となっている点は前記服薬管理装置１Ｂと同様であるが、前記服薬管理端末１０Ｃが蓋部３３を兼ねている点において異なる。
【００３６】
前記図４および前記図５に示した服薬管理端末とケース体を一体化した服薬管理装置１Ｂ，１Ｃによれば、設計の自由度が向上するほか、部品点数の削減も可能であって、生産性を高められる利点を有する。
【００３７】
尚、前記図４および前記図５における符号３６は薬品置き部である。このように前記薬品２３を置く場所を用意したことで、例えば患者Ｐが前記区画２２から薬品２３を取り出した後に服薬用の水を用意し忘れたことに気付いた場合など、取り出した薬品２３をこの薬品置き部３６に一旦置くことで他の薬品２３と紛れてしまうことがないため便利である。
【００３８】
図６は図２に示した服薬管理装置１Ａの構成を示すブロック図である。
【００３９】
前記服薬管理端末１０Ａは、撮影部１１０と、記憶部１２０と、演算部１３０と、通信部１４０と、出力部１５０と、電源部１６０と、端末固有ＩＤ１７０と、を有し、顔認証プロセスおよび服薬動作認証プロセスを実行するためのものである。
【００４０】
前記撮影部１１０は、静止画や動画を撮影可能なカメラである撮影手段１１１からなり、前記服薬管理端末１Ａの前面１１に配置されている。
【００４１】
前記記憶部１２０は、不揮発性メモリである記憶媒体１２１からなり、その中に、患者固有ＩＤ１２３および顔認識モデル１２４を含む患者情報１２２と、服薬情報２５と、服薬動作認識モデル１２５と、を格納している。
【００４２】
前記演算部１３０は、情報を処理するＣＰＵ１３１と、情報の書き込み・読み出しをするメモリ１３２と、からなり、前記撮影部１１０により撮影した情報および前記記憶部１２０内の情報を基に演算処理するものである。
【００４３】
前記通信部１４０は、Ｗｉ−Ｆｉ（登録商標）による無線通信が可能な無線通信手段１４１を有しており、インターネットを含むネットワーク４０に接続可能に構成されている。また、前記無線通信手段１４１はＢｌｕｅｔｏｏｔｈ（登録商標）による無線通信を行うものとしてもよい。
【００４４】
尚、前記通信部１４０において、前記無線通信手段１４１にＬＡＮケーブルまたはＵＳＢケーブルによる有線通信が可能な有線通信手段を併用させてもよく、無線通信手段および有線通信手段のどちらか一方のみを備えるものとしてもよい（図示せず）。
【００４５】
前記出力部１５０は、ディスプレイである映像出力手段１５１と、スピーカーである音声出力手段１５２と、からなる。前記患者Ｐは、視覚によって前記映像出力手段１５１により出力された映像を、聴覚によって前記音声出力手段１５２により出力された音声を、それぞれ認識することができる。
【００４６】
前記電源部１６０は、前記服薬管理端末を作動させるための電力を供給可能なバッテリー１６１からなる。なお、前記バッテリー１６１を有さず、後述する電源ケーブル１６２から供給される電力のみによって作動するものとしてもよい。
【００４７】
前記端末固有ＩＤ１７０は、本実施の形態においてはＭＡＣアドレスを用いるものであって、前記服薬管理端末１０Ａの裏面１２に印刷またはシール貼付された二次元バーコード１３に格納されていることが望ましい。尚、前記服薬管理端末１０Ａを識別することが可能なユニークＩＤであればＭＡＣアドレスに限ることなく使用可能である。
【００４８】
前記薬カートリッジ２０は、複数の区画２２に区分けされた薬品収容部２１と、前記各区画２２に収容された薬品２３と、服薬情報２５が格納された識別コード２４と、からなる（図７，図８参照）。前記服薬情報２５は、服薬すべき薬品の種類と、服薬すべき薬品の数量と、服薬すべき薬品の服薬時期と、服薬すべき薬品の収容された区画と、を含む。
【００４９】
尚、図７に示した符号２６は通孔であり、その下方に位置する前記発光手段３５の光をこの通孔２６を通して視認しやすくするためのものである。符号２７は切り欠きであり、前記薬カートリッジ２０の取り付け方向を所定の向きに固定するためのものである。また、符号２８は通孔である。
【００５０】
前記薬カートリッジ２０を形成する素材は、コスト・加工性・入手性の観点から、紙により形成されること、あるいは合成樹脂により形成されることが望ましい。
【００５１】
本実施の形態における前記識別コード２４は、二次元バーコードにより構成されており、前記撮影部１１０により前記薬カートリッジ２０の前記識別コード２４を読み取って容易に前記服薬管理端末１０Ａに前記服薬情報２５を取り込むことが可能である。前記服薬情報２５を取り込んだ前記服薬管理端末１０Ａは、前記服薬時期に合わせて、前記出力部１５０によって前記患者Ｐに服薬を促すものである。
【００５２】
前記薬カートリッジ２０は、前記患者Ｐが医師の診察を受けて発行される処方箋に基づき、薬局等の医療機関によって作成されるものであり、所定の服薬時期に合わせて前記薬品収容部２１の各区画２２に所定の薬品２３を収容した後、剥離可能なフィルムによって封をし、前記識別コード２４を印刷またはシール貼付によって前記薬カートリッジ２０の表面に表示して完成させる。
【００５３】
なお、前記フィルムは１区画ごとに剥離できるもの、区画の１列ごとに剥離できるもの、全面を一度に剥離できるものなど、所望の剥離方法に応じたフィルムを使用することができる。
【００５４】
前記薬カートリッジ２０にはカレンダー状に１週間分の各日を４分割した２８個の区画２２が形成されており、この様に予め区画２２を日時に応じて分割しておくことによって、前記患者Ｐおよび医療機関従業者のどちらにとっても所定の服薬時期に服薬すべき薬品の収容区画が識別しやすい利点を有する。
【００５５】
前記区画２２に前記薬品２３を収容する際、本実施の形態では薬品２３を個別に収容しているが、薬品ごとあるいは服薬単位ごとに薬包紙などによって分包するものとしてもよい。そして、分包パッケージにその内容物を表す二次元バーコードなどを付すことによって、前記内容物が外部から認識できるものとしてもよい。
【００５６】
前記ケース体３０Ａは、前記服薬管理端末１０Ａを挿入して保持する端末保持部３１と、前記薬カートリッジ２０を挿入して保持する薬カートリッジ保持部３２と、前記薬カートリッジ保持部３２に保持した前記薬カートリッジ２０を覆う蓋部３３と、ＬＥＤである発光手段３５を有する発光部３４と、からなる。
【００５７】
尚、前記発光手段３５は４列になっている前記区画２２の上下を挟み、前記各区画２２の幅とほぼ同幅に区切られた５列に配置されており、示したい前記各区画２２の上下に位置する前記発光手段３５を発光させることで、特定の区画２２を指し示すことができる。
【００５８】
また、前記ケース体３０はコンセントに接続可能な電源ケーブル１６２を有するとともに、前記端末保持部３１の底部には、前記電源ケーブル１６２から供給される電力により前記服薬管理端末１０Ａを充電するための充電端子（図示せず）が設けられているため、前記電源ケーブル１６２から供給される電力を前記服薬管理端末１０Ａに充電することが可能となっている。
【００５９】
前記蓋部３３は、前記薬品収容部２１を覆う面積を有する開閉可能な蓋本体３３１と、前記蓋本体３３１を閉鎖状態に保つための固定手段３３２とからなり、前記蓋本体３３１を閉じた状態で前記服薬管理端末１０Ａからの指令により前記固定手段３３２を作動させることで前記蓋本体３３１を閉鎖状態に固定することが可能である。
【００６０】
本実施の形態における前記固定手段３３２は、前記蓋本体３３１に形成した係止突起３３３と、前記係止突起に対向して形成されて前記係止突起を挿入する係止溝３３４とを係合させた状態で、モータやソレノイド等の駆動手段（図示せず）によって抜き差し可能なロックピン（図示せず）によって前記係止溝３３４から前記係止突起３３３が脱出しないように固定するものである。尚、固定手段はこれに限られず従来周知の固定手段が使用可能であることは勿論である。
【００６１】
図９は登録用端末５０の構成を示すブロック図である。
前記登録用端末５０は、撮影部２１０と、記憶部２２０と、演算部２３０と、通信部２４０と、出力部２５０と、入力部２６０と、電源部２７０と、を有し、患者情報登録プロセスを実行するためのものであり、本実施の形態では据置型のパソコンを用いるものであるが、その他、例えば薬局に設置されたレセコンや、タブレット端末などを使用するものとしてもよい。
【００６２】
前記撮影部２１０は、静止画や動画を撮影可能なカメラである撮影手段２１１からなる。
【００６３】
前記記憶部２２０は、不揮発性メモリまたはハードディスクである記憶媒体２２１からなり、その中に、患者固有ＩＤ１２３および顔認識モデル１２４を含む患者情報１２２を保存する患者情報ＤＢ２２２と、アプリケーションであるモデル生成手段２２３と、を格納している。
【００６４】
前記演算部２３０は、情報を処理するＣＰＵ２３１と、情報の書き込み・読み出しをするメモリ２３２と、からなり、前記撮影部２１０により撮影した情報および前記記憶部２２０内の情報を基に演算処理するものである。
【００６５】
前記通信部２４０は、Ｗｉ−Ｆｉ（登録商標）による無線通信が可能な無線通信手段２４１を有しており、インターネットを含むネットワーク４０に接続可能に構成されている。
【００６６】
尚、前記通信部２４０において、前記無線通信手段２４１にＬＡＮケーブルまたはＵＳＢケーブルによる有線通信が可能な有線通信手段を併用させてもよく、無線通信手段および有線通信手段のどちらか一方のみを備えるものとしてもよい（図示せず）。
【００６７】
前記出力部２５０は、ディスプレイである映像出力手段２５１を有する。
【００６８】
前記入力部２６０は、キーボードまたはタッチパネルである入力手段２６１を有する。
【００６９】
図１０は本実施の形態における服薬管理システム１の全体フロー図である。
以下に、順を追ってその工程を説明する。
【００７０】
Ａ．患者情報登録プロセス
まず、服薬管理装置を導入する患者Ｐの情報を登録する。
本実施の形態においては医療機関においてこの患者情報登録プロセスを行うものであり、詳しい説明は後述する。尚、前記患者Ｐの自宅において直接前記患者情報登録プロセスを行うものとしてもよい。
【００７１】
Ｂ．初期設定プロセス
次に、前記服薬管理装置１Ａを導入する患者Ｐの自宅において使用するための初期設定を行うものであり、詳しい説明は後述する。
【００７２】
上記Ａ〜Ｂの工程は前記服薬管理装置１Ａを導入する初回時のみ行われるものであり、その後は繰り返す必要はない。
【００７３】
Ｃ．医療機関受診
前記服薬管理装置１Ａが前記患者Ｐの自宅で使用可能な状態となったら、前記患者Ｐは、病院等の医療機関を受診し、処方箋を発行してもらう。
【００７４】
Ｄ．薬カートリッジ設置
前記処方箋に基づき、薬局等の医療機関によって薬カートリッジ２０が作成される。前記患者Ｐは直接それを持ち帰るか、或いは配送などの方法によって、前記薬カートリッジ２０を受領する。
【００７５】
Ｅ．薬カートリッジ設置
前記患者Ｐは、前記服薬管理端末１０Ａの撮影部１１０に前記薬カートリッジ２０の表面に表示された前記識別コード２４をスキャンさせて、前記服薬情報２５を前記服薬管理端末１０Ａへ取り込む。その後、前記ケース体３０の前記薬カートリッジ保持部３２へ前記薬カートリッジ２０を設置する。
【００７６】
上記Ｃ〜Ｅの工程は前記薬カートリッジ２０の補充周期に応じて繰り返されるものである。
【００７７】
Ｆ．服薬アナウンス
前記服薬情報２４に基づいて、所定の服薬時期になったとき、前記出力部１５０によって服薬を促す旨の映像および音声を出力する服薬アナウンスがなされる。
【００７８】
所定の服薬時期は、例えば正午などの服薬すべき時間丁度の服薬定刻と、該服薬定刻から例えば３０分前などに設定される服薬リマインダ時刻と、からなる。そのため、服薬アナウンスは、前記服薬定刻の前に行われる事前服薬アナウンスと、前記服薬定刻に行われる定刻服薬アナウンスの少なくとも２度行われる。
【００７９】
また、前記服薬定刻から所定の時間を経過しても前記服薬すべき薬品が取り出されない場合は、追加服薬アナウンスが行われる。
【００８０】
Ｇ．顔認証プロセス
服薬アナウンスによって前記服薬管理端末１０Ａの付近に前記患者Ｐが現れ、前記撮影部１１０によって捉えたら、撮影された人物が前記患者Ｐと一致するか否か顔認証プロセスによって判定される。この顔認証プロセスの詳しい説明は後述する。
【００８１】
Ｈ．服薬動作認証プロセス
顔認証プロセスによって撮影された人物が前記患者Ｐと一致することが判定されたら、前記蓋部３３のロックが解除されるとともに、服薬すべき薬品２３が収容された区画２２が前記発光手段３５により示され、前記患者Ｐは、示された区画２２から薬品２３を取り出して服薬する。
【００８２】
前記患者Ｐが前記薬品２３を取り出して服薬する一連の動作を撮影した情報を基に、服薬動作認証プロセスによって前記患者Ｐが服薬したか否か判定される。そして、前記患者Ｐが前記薬品２３を服薬したか否かを判定したら、その判定結果をネットワーク４０上のサーバに前記通信部１４０を介してアップロードする。この服薬動作認証プロセスの詳しい説明は後述する。
【００８３】
Ｉ．服薬完了通知
前記判定結果がアップロードされると、予め前記サーバ上に連絡先が登録されている介護者が所有する介護者端末および医療機関が所有する医療機関端末へ判定結果を含めた通知が行われる。
【００８４】
上記Ｆ〜Ｉの工程は所定の服薬時期に応じて繰り返されるものである。
【００８５】
以上のとおり、服薬管理システム１はＡ〜Ｉの各工程を行うことで、前記患者Ｐに服薬すべき薬品の服薬を促し、その後前記患者Ｐが服薬すべき薬品を服薬したか否かを判定し、判定結果をアップロードする。その後、服薬完了通知が介護者や医療機関へ通知されるものである。
【００８６】
図１１は登録用端末を用いた患者情報登録プロセスのフロー図である。
以下に、順を追ってその工程を説明する。尚、前記登録用端末５０は、本実施の形態においては医療機関に設置した医療機関端末を用いるものであるが、持ち運び可能なラップトップパソコンやタブレットを用いるものとしてもよく、その他、例えば介護施設や看護施設などの医療を提供しない施設に設置した端末を用いるものとしてもよい。
【００８７】
Ａ．端末の登録
前記患者Ｐが服薬管理装置１Ａを新たに導入する場合、まず服薬管理端末１０Ａの端末固有ＩＤ１７０を登録用端末５０に登録する。前記服薬管理端末１０Ａには、前記端末固有ＩＤ１７０を格納した二次元バーコード１３が印刷または貼付されているので、前記登録用端末５０の撮影部２１０によって前記二次元バーコード１３をスキャンすることによって容易に前記端末固有ＩＤ１７０を取り込むことが可能である。
【００８８】
取り込んだ前記端末固有ＩＤ１７０は前記登録用端末５０内のデータベースに記録されるが、ネットワーク４０を介して接続可能なクラウドサーバ８０上にアップロードするものとすれば、単一の医療機関に限らずに前記端末固有ＩＤ１７０を共有することが可能である。
【００８９】
Ｂ．患者情報の準備
医療機関の担当者は、前記患者Ｐの顔を前記撮影部２１０によって撮影する。このとき、複数の角度や異なる表情を撮影することでより機械学習の精度が高まるため望ましい。撮影されたデータを用い、前記登録用端末５０に備えたモデル生成手段２２３による機械学習を行い、前記顔認識モデル１２４を生成する。その後、前記登録用端末５０に備えた入力手段２６１によって患者固有ＩＤ１２３を入力し、前記顔認識モデル１２４と紐づけする。
【００９０】
尚、前記ネットワーク４０を介して利用可能なモデル生成手段を用いてもよく、例えば登録用端末５０の演算能力が不十分であるときに、クラウドサーバ８０上で利用可能な演算装置を用いることで、端末固有の演算能力に依存せずに機械学習が可能とすることができる。
【００９１】
前記患者固有ＩＤ１２３は、予め患者が有するユニークＩＤが使用可能であり、日本においてはマイナンバーや健康保険証番号などがその候補であるが、患者独自のユニークＩＤを個別に生成してそれを用いるものとしてもよい。
【００９２】
Ｃ．患者情報の登録
前記顔認識モデル１２４および前記患者固有ＩＤ１２３からなる患者情報１２２は、前記服薬管理端末１０Ａに転送され、登録される。この時用いる通信手段は、Ｗｉ−Ｆｉ（登録商標）である無線通信手段１４１を用いるものであるが、その他、Ｂｌｕｅｔｏｏｔｈ（登録商標）による近距離無線通信を用いて前記通信部同士を接続してもよく、前記服薬管理端末１０Ａに予め備えたＵＳＢ等の接続端子を用いるものであってもよい（図示せず）。
【００９３】
Ｄ．患者情報のアップロード
前記患者情報１２２は、前記登録用端末５０の通信部２４１を介し、インターネットであるネットワーク４０にアクセスして、クラウドサーバ８０にアップロードする。アップロードされた患者情報１２２は、システム管理者が前記管理者端末７０からネットワーク４０を介してアクセス可能である。
【００９４】
図１２は患者Ｐの自宅における服薬管理端末１０Ａの初期設定プロセスのフロー図である。
以下に、順を追ってその工程を説明する。
【００９５】
Ａ．服薬管理端末への接続
前記患者Ｐの自宅において、前記服薬管理端末１０Ａをインターネットであるネットワーク４０に接続するための設定を行う。以下の説明は、患者自身で設定を行うものとして説明するが、例えば介護者や医療機関スタッフ、その他の補助者が設定を行うものであってもよい。
【００９６】
前記患者Ｐは、前記服薬管理端末１０Ａを操作して、アクセスポイントモードを起動する。その後、前記服薬管理端末１０Ａのアクセスポイントに前記患者Ｐの所有するスマートフォン等のモバイル端末から接続し、設定を可能な状態とする。
【００９７】
Ｂ．服薬管理端末のネットワーク設定
続いて、前記服薬管理端末１０Ａのネットワーク設定を行う。前記患者Ｐは、前記モバイル端末を用いて、前記患者Ｐの自宅で利用可能なＷｉ−Ｆｉ（登録商標）アクセスポイントのＳＳＩＤおよびパスワードを入力し、前記服薬管理端末１０Ａが前記Ｗｉ−Ｆｉ（登録商標）アクセスポイントに接続可能となったら、前記服薬管理端末１０Ａを操作して、アクセスポイントモードを終了する。
【００９８】
Ｃ．専用アプリケーションのインストール
ネットワーク設定が完了した前記服薬管理端末１０Ａは、インターネット経由で最新の専用アプリケーションをダウンロードし、インストールする。尚、予め工場出荷時点で専用アプリケーションをプリインストールしてあるものとしてもよい。前記服薬管理端末１０Ａのネットワーク設定および専用アプリケーションのインストールができたら、前記服薬管理装置１Ａの初期設定プロセスが完了する。
【００９９】
初期設定プロセスの完了後、前記図８に示したＣ〜Ｅの工程を行うことで、服薬管理システム１が使用可能な状態となる、
【０１００】
図１３は顔認証プロセスのフロー図である。
以下に、順を追ってその工程を説明する。
【０１０１】
Ａ．人物の認識
服薬アナウンスによって前記患者Ｐに服薬を促したのち、顔認証プロセスがスタートし、まずは前記服薬管理端末１０Ａの前記撮影部１１０により撮影可能な範囲に人物が入ったことを検知する。
【０１０２】
このとき、本実施の形態において、前記人物が前記撮影部１１０により撮影可能な範囲に入ったことを検知する手段は、前記服薬管理端末１０Ａに備えた人感センサを用いるものである。前記人感センサは赤外線を用いるもの、超音波を用いるものその他従来周知の人間の接近を感知することができるセンサが使用可能である。
【０１０３】
尚、例えば前記撮影部１１０により撮影した情報を前記演算部１３０により解析して人物が映っていることを判定することにより検知するものとしてもよい。
【０１０４】
Ｂ．人物の撮影
続いて、前記人物の顔を、前記撮影部１１０によって撮影する。
【０１０５】
Ｃ．顔認識モデルとの照合
前記撮影した情報を前記服薬管理端末１０Ａの前記記憶部１２０に格納した顔認識モデルと組み合わせて処理し、予め登録された患者Ｐであるか否かを判定する。より詳細に説明すると、前記撮影した情報のうち例えば前記人物の目・鼻・口・顎がともに撮影された画像を用いて、顔認識モデルとの一致度が所定の閾値を超えた場合に、前記人物が登録した前記患者Ｐであると判定する。
【０１０６】
図１４は服薬動作認証プロセスのフロー図である。
以下に、順を追ってその工程を説明する。
【０１０７】
Ａ．患者の動作の撮影
前記患者Ｐが前記服薬すべき薬品を服薬する一連の動作を、前記撮影部１１０によって撮影する。また、この時、前記服薬管理端末１０Ａの撮影部１１０により撮影した情報をもとに、前記服薬すべき薬品２３の収容された区画２２から前記服薬すべき薬品２３が取り出されたか否かを識別することとしてもよい。
【０１０８】
Ｂ．服薬動作認識モデルとの照合
前記撮影した情報を前記服薬管理端末１０Ａの前記記憶部１２０に格納した服薬動作認識モデルと組み合わせて処理し、前記患者Ｐが本当に前記薬品２３を服薬したか否かを判定する。より詳細に説明すると、前記患者Ｐの例えば両手や顔などの部位の一連の動作を撮影した情報と、人が薬品を服用する際の様々な動作を撮影して得たデータを学習データとして機械学習を行うことにより生成した服薬動作認識モデルとを照合して、一致度が所定の閾値を超えた場合に、前記患者Ｐが前記薬品２３を服薬したと判定する。その際、錠剤・カプセル・顆粒・散剤・液体など薬品の種類に応じた服薬動作認識モデルを用いるものとしてもよい。
【０１０９】
Ｃ．判定結果のアップロード
その後、判定結果をネットワーク４０上のクラウドサーバ８０に前記通信部１４０を介してアップロードする。前記判定結果がアップロードされると、介護者端末６０や管理者端末７０へ判定結果を含めた通知が行われる。
【０１１０】
図１５は本発明の第２の実施形態である服薬管理システム２を示すフロー図である。
前記服薬管理システム２は、患者Ｐの服薬を管理するための服薬管理システムであって、前記患者Ｐの顔を撮影して得たデータを学習データとして機械学習を行うことにより生成した顔認識モデルを用いた顔認証プロセス、および人の服薬動作を撮影して得たデータを学習データとして機械学習を行うことにより生成した服薬動作認識モデルを用いた服薬動作認証プロセスを実行する前記服薬管理装置１Ａを用いるものであるが、顔認証プロセスと服薬動作認証プロセスの間に薬品認証プロセスを行う点で前記第１の実施形態である服薬管理システム１と異なる。
【０１１１】
図１６は薬品認証プロセスのフロー図である。
以下に、順を追ってその工程を説明する。
【０１１２】
Ａ．服薬すべき薬品の指示
顔認証プロセスによって前記服薬管理装置１０Ａの前に登録された前記患者Ｐが居ることが判定されたら、前記蓋部３３のロックが解除されるとともに、服薬すべき薬品２３が収容された区画２２がその上下に配置した前記発光手段３５により示される。
【０１１３】
Ｂ．薬品の撮影
前記示された区画２２に収納された状態の服薬すべき薬品２３を、前記服薬管理端末１０Ａの前記撮影部１１０によって撮影する。尚、前記患者Ｐが示された区画２２から取り出した服薬すべき薬品２３を薬品置き部３６などの所定の場所に置き、前記服薬管理端末１０Ａの前記撮影部１１０によって撮影することとしてもよい。
【０１１４】
Ｃ．薬品の識別
前記撮影した情報を前記服薬管理端末１０Ａの前記記憶部１２０に格納した服薬情報２５と組み合わせて処理し、予め登録された服薬すべき薬品の種類と一致するか、及び、服薬すべき薬品の数量と一致するか、を判定する。
【０１１５】
尚、分包パッケージにその内容物を表す二次元バーコードを付すことによって、前記二次元バーコードによって前記内容物が外部から識別できるものとし、前記服薬管理端末の撮影部によって前記二次元バーコードを読み取り、薬品が予め登録された服薬すべき薬品の種類と一致するか、及び、服薬すべき薬品の数量と一致するか、を判定するものとしてもよい（図示せず）。
【０１１６】
本発明の前記第１の実施形態または前記第２の実施形態における前記服薬管理端末１０Ａは入力手段を有していないため、前記患者Ｐは前記モバイル端末のタッチパネル式の入力手段を用いて前記服薬管理端末１０Ａをインターネットに接続するための設定作業を行うものであるが、服薬管理端末がタッチパネル式やキーボード式の入力手段を備えている場合はそれらの入力手段を用いるものとしてもよい（図示せず）。
【０１１７】
尚、前記服薬管理端末１０Ａの代わりに、前記患者Ｐが所有するスマートフォンまたはタブレット等のモバイル端末を用いるものとしてもよい。その場合は、服薬管理システム用の専用アプリケーションを前記スマートフォンまたはタブレットにインストールすることで使用可能な状態となる。
【０１１８】
現代におけるスマートフォンまたはタブレット等のモバイル端末は、ほぼ全ての端末がカメラを有しており、モバイル端末としての機能を果たすために記憶部、演算部および出力部を標準で有していることから、前記服薬管理端末１０Ａを構成する機能を全て満たすものが大半と言える。
【０１１９】
このように、予め前記患者Ｐが所有するスマートフォンまたはタブレット等のモバイル端末を用いることで、新たに専用端末を購入する必要が無いため、前記患者Ｐの費用面での負担を軽減することができる利点を有する。
【０１２０】
図１７は本発明の第３の実施形態である服薬管理システム３を示す構成図である。
前記服薬管理システム３は、患者Ｐの服薬を管理するための服薬管理システムであって、前記患者Ｐの顔を撮影して得たデータを学習データとして機械学習を行うことにより生成した顔認識モデルを用いた顔認証プロセス、および人の服薬動作を撮影して得たデータを学習データとして機械学習を行うことにより生成した服薬動作認識モデルを用いた服薬動作認証プロセスを実行する服薬管理装置１Ｄを用いるものであるが、前記服薬管理装置１Ｄは服薬管理端末１０Ｄのみから構成されており、前記薬カートリッジ２０および前記ケース体３０Ａを有しない点で前記第１の実施形態である服薬管理システム１と異なる。
【０１２１】
前記服薬管理システム３は、前記図７に示した前記服薬管理システム１の全体フロー図と同様に使用されるため、各工程の詳細な説明は省略し、相違点について以下に説明する。
【０１２２】
前記服薬管理装置１０Ｄは前記薬カートリッジ２０および前記ケース体３０Ａを有しないことから、前記服薬管理システム３を使用する際には、前記患者Ｐは前記服薬管理端末１０Ｄを片手に持った状態で使用することを想定しているが、例えばスタンド等を用いて前記服薬管理端末１０Ｄを立て掛けて使用してもよい。
【０１２３】
定刻服薬アナウンスがなされた際、前記患者Ｐは、前記服薬管理端末１０Ｄの撮影部１１０を自らに向け、自らの顔を撮影させることで、顔認証プロセスによって正しい患者であることを判定させる。
【０１２４】
その後、前記患者Ｐは、自宅や職場であれば、引き出し等の所定の保管場所に保管してある薬品２３を取り出す。外出先であれば、携行しておいた薬品２３を取り出す。その後、前記患者Ｐは前記服薬管理端末１０Ｄの撮影部１１０を自らに向けた状態で、前記薬品２３を服薬する。
【０１２５】
そして、その動作を前記服薬管理端末１０Ｄの撮影部１１０によって撮影し、前記撮影した動作を基に服薬動作認証プロセスによって正しく服薬したか否かを判定する。
【０１２６】
本実施の形態によれば、例えば外出先や職場などでも適切な服薬時期に服薬を促し、適切な服薬ができたか否かを判定することが可能であるため、特に外出がちな患者にとって非常に利便性が高い。
【０１２７】
以上のように、本発明によれば、所定のタイミングで所定の薬剤を患者に服薬させるための服薬管理システムにおいて、人の服薬動作を機械学習により得た学習モデルを用いることで、患者は煩雑な下準備や不自然な動作を要することなく、服薬管理装置の指示に従って薬品を自然に服用するだけでよく、患者の動作を撮影して得たデータによって服薬したか否かを判定することができる優れた服薬管理システムを提供することができる。
【符号の説明】
【０１２８】
１，２，３  服薬管理システム、１Ａ，１Ｂ，１Ｃ，１Ｄ  服薬管理装置、１０Ａ，１０Ｂ，１０Ｃ，１０Ｄ  服薬管理端末、１１  表面、１２  裏面、１３  二次元バーコード、２０  薬カートリッジ、２１  薬品収容部、２２  区画、２３  薬品、２４  識別コード、２５  服薬情報、２６  通孔、２７  切り欠き、２８  通孔、３０Ａ，３０Ｂ，３０Ｃ  ケース体、３１  端末保持部、３２  薬カートリッジ保持部、３３  蓋部、３４  発光部、３５  発光手段、３６  薬品置き部、３３１  蓋本体、３３２  固定手段、３３３  係止突起、３３４  係止溝、４０  ネットワーク、５０  登録用端末、６０  介護者端末、７０  管理者端末、８０  クラウドサーバ、１１０  撮影部、１１１  撮影手段、１２０  記憶部、１２１  記憶媒体、１２２  患者情報、１２３  患者固有ＩＤ、１２４  顔認識モデル、１２５  服薬動作認識モデル、１３０  演算部、１３１  ＣＰＵ、１３２  メモリ、１４０  通信部、１４１  無線通信手段、１５０  出力部、１５１  映像出力手段、１５２  音声出力手段、１６０  電源部、１６１  バッテリー、１６２  電源ケーブル、１７０  端末固有ＩＤ、２１０  撮影部、２１１  撮影手段、２２０  記憶部、２２１  記憶媒体、２２２  患者情報ＤＢ、２２３  モデル生成手段、２３０  演算部、２３１  ＣＰＵ、２３２  メモリ、２４０  通信部、２４１  無線通信手段、２５０  出力部、２５１  映像出力手段、２６０  入力部、２６１  入力手段
【要約】
患者の服薬を支援するとともに薬品を服薬できたか否かについてリアルタイムに確認を行うことのできる服薬管理システムを提供する。
患者の服薬を管理するための服薬管理システムであって、顔認証プロセスおよび服薬動作認証プロセスを実行する服薬管理端末を有し、
前記服薬管理端末は、撮影部と、記憶部と、演算部と、を備え、
前記顔認証プロセスによって、前記撮影部により撮影可能な範囲に人物が入ったとき、前記撮影部により撮影した情報および前記顔認識モデルを組み合わせて前記演算部により処理することで、撮影した前記人物が前記患者であることを判定するとともに、
前記服薬動作認証プロセスによって、前記患者の動作を前記撮影部により撮影し、前記撮影部により撮影した動作および前記服薬動作認識モデルを組み合わせて前記演算部により処理することで、前記患者が前記薬品を服薬したか否かを判定する。【図１】
0006888862.tif 000002
【図２】
0006888862.tif 000003
【図３】
0006888862.tif 000004
【図４】
0006888862.tif 000005
【図５】
0006888862.tif 000006
【図６】
0006888862.tif 000007
【図７】
0006888862.tif 000008
【図８】
0006888862.tif 000009
【図９】
0006888862.tif 000010
【図１０】
0006888862.tif 000011
【図１１】
0006888862.tif 000012
【図１２】
0006888862.tif 000013
【図１３】
0006888862.tif 000014
【図１４】
0006888862.tif 000015
【図１５】
0006888862.tif 000016
【図１６】
0006888862.tif 000017
【図１７】
0006888862.tif 000018